(57)【要約】【課題】大画面化、高輝度化、高精細化されたパネルにおいても、書込み期間における異常放電の発生を抑え、画像表示品質を向上させる。【解決手段】プラズマディスプレイパネルを、サブフィールドを１フィールド内に複数設けて駆動して階調表示するプラズマディスプレイパネルの駆動方法であって、表示電極対が延伸する方向に配列された連続する３つの放電セルにおいて、中央の放電セルは全てのサブフィールドで非点灯となり、中央の放電セルの両側の２つの放電セルは所定のサブフィールドでともに点灯となるとき、所定のサブフィールドにおいて、それら２つの放電セルのいずれか一方の放電セルを点灯から非点灯に変更するとともに、その一方の放電セルを所定のサブフィールドの次に輝度重みが大きいサブフィールドで点灯にする。【選択図】図７Ａ
2011033964.tif 000002
【特許請求の範囲】
【請求項１】
走査電極と維持電極とからなる表示電極対を有する放電セルを複数備えたプラズマディスプレイパネルを、前記放電セルに書込み放電を発生する書込み期間と、サブフィールド毎に設定された輝度重みに応じた回数の維持パルスを前記表示電極対に交互に印加する維持期間とを有するサブフィールドを１フィールド内に複数設けて駆動し、
前記書込み期間に書込み放電を発生したサブフィールドで前記維持期間に維持放電を発生して前記放電セルを点灯することで階調表示するプラズマディスプレイパネルの駆動方法であって、
前記表示電極対が延伸する方向に配列された連続する３つの放電セルにおいて、
中央の放電セルは全てのサブフィールドで非点灯となり、前記中央の放電セルの両側の２つの放電セルは所定のサブフィールドでともに点灯となるとき、
前記所定のサブフィールドにおいて、前記２つの放電セルのいずれか一方の放電セルを点灯から非点灯に変更するとともに、前記一方の放電セルを前記所定のサブフィールドの次に輝度重みが大きいサブフィールドで点灯にすることを特徴とするプラズマディスプレイパネルの駆動方法。
【請求項２】
１フィールドを、全ての放電セルに初期化放電を発生する全セル初期化サブフィールドと、直前のサブフィールドの維持期間に維持放電を発生した放電セルだけに初期化放電を発生する複数の選択初期化サブフィールドとを有する構成とし、
前記所定のサブフィールドを前記全セル初期化サブフィールドとすることを特徴とする請求項１に記載のプラズマディスプレイパネルの駆動方法。
【請求項３】
現フィールドでは、前記中央の放電セルは全てのサブフィールドで非点灯となり、前記２つの放電セルは所定のサブフィールドでともに点灯となり、
前記現フィールドの直前のフィールドでは、前記中央の放電セルは、１フィールドのうちのいずれか１つ以上のサブフィールドで点灯となるときに、
前記現フィールドの前記所定のサブフィールドにおいて、前記２つの放電セルのいずれか一方の放電セルを点灯から非点灯に変更するとともに、前記一方の放電セルを前記所定のサブフィールドの次に輝度重みが大きいサブフィールドで点灯にすることを特徴とする請求項１に記載のプラズマディスプレイパネルの駆動方法。
【請求項４】
走査電極と維持電極とからなる表示電極対を有する放電セルを複数備え、書込み期間と維持期間とを有するサブフィールドを１フィールド内に複数設け、前記書込み期間に書込み放電を発生したサブフィールドでは、前記維持期間にサブフィールド毎に設定された輝度重みに応じた回数の維持放電を発生して階調表示するプラズマディスプレイパネルと、
入力画像信号を、１フィールドで表現される階調値の大きさに応じて、前記放電セルにおける前記サブフィールド毎の発光・非発光を示す画像データに変換する画像信号処理回路とを備え、
前記画像信号処理回路は、
前記表示電極対が延伸する方向に配列された連続する３つの放電セルにおいて、
中央の放電セルは全てのサブフィールドで非点灯となり、前記中央の放電セルの両側の２つの放電セルは所定のサブフィールドでともに点灯となるとき、
前記所定のサブフィールドにおいて、前記２つの放電セルのいずれか一方の放電セルを点灯から非点灯に変更するとともに、前記一方の放電セルを前記所定のサブフィールドの次に輝度重みが大きいサブフィールドで点灯にすることを特徴とするプラズマディスプレイ装置。
【発明の詳細な説明】
【技術分野】
【０００１】
本発明は、壁掛けテレビや大型モニターに用いられるプラズマディスプレイパネルの駆動方法およびプラズマディスプレイ装置に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成されている。そして、それら表示電極対を覆うように誘電体層および保護層が形成されている。背面板は、背面ガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。そして、表示電極対とデータ電極とが立体交差するように前面板と背面板とが対向配置されて密封されている。密封された内部の放電空間には、例えば分圧比で５％のキセノンを含む放電ガスが封入され、表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としては一般にサブフィールド法が用いられている。サブフィールド法では、１フィールドを複数のサブフィールドに分割し、それぞれのサブフィールドで各放電セルを発光または非発光させることにより階調表示を行う。各サブフィールドは、初期化期間、書込み期間および維持期間を有する。
【０００４】
初期化期間では、各走査電極に初期化波形を印加し、各放電セルで初期化放電を発生させる。それにより、各放電セルにおいて、続く書込み動作のために必要な壁電荷を形成するとともに、書込み放電を安定して発生させるためのプライミング粒子（書込み放電を発生させるための励起粒子）を発生させる。
【０００５】
書込み期間では、走査電極に走査パルスを印加するとともに、データ電極には表示すべき画像信号にもとづき書込みパルスを印加して表示を行うべき放電セルに書込み放電を発生させ壁電荷を形成する（以下、この動作を「書込み」とも記す）。
【０００６】
維持期間では、サブフィールド毎に定められた数の維持パルスを走査電極と維持電極とからなる表示電極対に交互に印加する。それにより、書込み放電を起こした放電セルで維持放電を発生させ、その放電セルの蛍光体層を発光させる。これにより、各放電セルを、サブフィールド毎に定められた輝度重みに応じた輝度で発光させる。このようにしてパネルの各放電セルを画像信号の階調値に応じた輝度で発光させて画像表示を行う。
【０００７】
また、サブフィールド法の１つとして、緩やかに変化する電圧波形を用いて初期化放電を行い、さらに維持放電を行った放電セルに対して選択的に初期化放電を行うことで、階調表示に関係しない発光を極力減らしコントラスト比を向上させた駆動方法が開示されている。
【０００８】
具体的には、複数のサブフィールドのうち、１つのサブフィールドの初期化期間においては全ての放電セルに初期化放電を発生させる全セル初期化動作を行い、他のサブフィールドの初期化期間においては直前の維持期間で維持放電を行った放電セルにのみ初期化放電を発生させる選択初期化動作を行う。このように駆動することにより、画像の表示に関係のない発光によって変化する黒表示領域の輝度（以下、「黒輝度」と略記する）は全セル初期化動作における微弱発光だけとなり、コントラストの高い画像表示が可能となる（例えば、特許文献１参照）。
【０００９】
また、初期化期間に、緩やかな傾斜で電圧が上昇する部分と緩やかな傾斜で電圧が下降する部分とを有する初期化波形を放電セルに印加する技術が開示されている（例えば、特許文献２参照）。
【先行技術文献】
【特許文献】
【００１０】
【特許文献１】特開２０００−２４２２２４号公報
【特許文献２】特開２００４−３７８８３号公報
【発明の概要】
【発明が解決しようとする課題】
【００１１】
近年、パネルの高精細化にともない放電セルのさらなる微細化が進んでいる。この微細化された放電セルでは、初期化放電によって放電セル内に形成された壁電荷が、隣接する放電セルに発生する書込み放電や維持放電の影響を受けて変化しやすいことが確認されている。
【００１２】
また、高輝度化するためにキセノン分圧を大きくしたパネルでは、放電開始電圧のばらつきが大きくなりやすいことが確認されている。
【００１３】
また、パネルの大画面化、高精細化にともない、パネルの駆動インピーダンスは増大する傾向にある。そのため、同一表示電極対上に形成される放電セルであっても、駆動回路に近い位置に形成される放電セルと、駆動回路から遠い位置に形成される放電セルとでは、駆動電圧の電圧降下の差は拡大する傾向にある。
【００１４】
これらのことから、大画面化、高輝度化、高精細化されたパネルでは、放電の発生にばらつきが生じやすく、比較的放電が発生しやすい放電セルと、比較的放電が発生しにくい放電セルとが混在することがある。
【００１５】
このようなパネルにおいて、安定に放電を発生させるためには、比較的放電が発生しにくい放電セルにおいても確実に放電が発生するように、放電セルに印加する電圧を高めればよい。
【００１６】
しかしながら、放電セルに印加する電圧が高くなると、比較的放電が発生しやすい放電セルで、例えば、書込み放電を発生させるべきでないサブフィールドで誤った書込み放電（以下、「誤書込み」とも記す）が発生する等の誤放電が発生しやすくなり、画像表示品質を劣化させてしまうおそれがある。
【００１７】
本発明はこのような課題に鑑みなされたものであり、大画面化、高輝度化、高精細化されたパネルにおいても、書込み期間における異常放電の発生を抑えて書込み動作を安定にし、画像表示品質を向上させることができるパネルの駆動方法およびプラズマディスプレイ装置を提供することを目的とする。
【課題を解決するための手段】
【００１８】
本発明のパネルの駆動方法は、走査電極と維持電極とからなる表示電極対を有する放電セルを複数備えたパネルを、放電セルに書込み放電を発生する書込み期間と、サブフィールド毎に設定された輝度重みに応じた回数の維持パルスを表示電極対に交互に印加する維持期間とを有するサブフィールドを１フィールド内に複数設けて駆動し、書込み期間に書込み放電を発生したサブフィールドで維持期間に維持放電を発生して放電セルを点灯することで階調表示するパネルの駆動方法であって、表示電極対が延伸する方向に配列された連続する３つの放電セルにおいて、中央の放電セルは全てのサブフィールドで非点灯となり、中央の放電セルの両側の２つの放電セルは所定のサブフィールドでともに点灯となるとき、所定のサブフィールドにおいて、それら２つの放電セルのいずれか一方の放電セルを点灯から非点灯に変更するとともに、その一方の放電セルを所定のサブフィールドの次に輝度重みが大きいサブフィールドで点灯にすることを特徴とする。
【００１９】
これにより、大画面化、高輝度化、高精細化されたパネルを用いたプラズマディスプレイ装置においても、書込み期間における異常放電の発生を抑えて書込み動作を安定にし、点灯パターンを変更する放電セルにおける輝度変化を低減して、画像表示品質を向上させることが可能となる。
【００２０】
また、このパネルの駆動方法においては、１フィールドを、全ての放電セルに初期化放電を発生する全セル初期化サブフィールドと、直前のサブフィールドの維持期間に維持放電を発生した放電セルだけに初期化放電を発生する複数の選択初期化サブフィールドとを有する構成とし、所定のサブフィールドを全セル初期化サブフィールドとする構成であってもよい。これにより、全セル初期化サブフィールドにおける誤書込みの発生を抑えて書込み動作を安定にし、画像表示品質を向上させることが可能となる。
【００２１】
また、このパネルの駆動方法においては、現フィールドでは、上述の中央の放電セルは全てのサブフィールドで非点灯となり、上述の２つの放電セルは所定のサブフィールドでともに点灯となり、現フィールドの直前のフィールドでは、その中央の放電セルは、１フィールドのうちのいずれか１つ以上のサブフィールドで点灯となるときに、現フィールドの所定のサブフィールドにおいて、それら２つの放電セルのいずれか一方の放電セルを点灯から非点灯に変更するとともに、その一方の放電セルを所定のサブフィールドの次に輝度重みが大きいサブフィールドで点灯にする構成であってもよい。これにより、連続する３つの放電セルに「誤書込み発生パターン」が生じたときに、直前のフィールドにおける点灯パターンに応じて点灯パターンの変更を行うかどうかを決定し、誤書込みが発生しやすいフィールドだけで点灯パターンの変更を行う構成とすることができるので、放電セルに生じる輝度変化を必要最小限に抑えつつ誤書込みを低減することができ、画像表示品質をさらに向上することが可能となる。
【００２２】
また、本発明のプラズマディスプレイ装置は、走査電極と維持電極とからなる表示電極対を有する放電セルを複数備え、書込み期間と維持期間とを有するサブフィールドを１フィールド内に複数設け、書込み期間に書込み放電を発生したサブフィールドでは、維持期間にサブフィールド毎に設定された輝度重みに応じた回数の維持放電を発生して階調表示するパネルと、入力画像信号を、１フィールドで表現される階調値の大きさに応じて、放電セルにおけるサブフィールド毎の発光・非発光を示す画像データに変換する画像信号処理回路とを備え、画像信号処理回路は、表示電極対が延伸する方向に配列された連続する３つの放電セルにおいて、中央の放電セルは全てのサブフィールドで非点灯となり、中央の放電セルの両側の２つの放電セルは所定のサブフィールドでともに点灯となるとき、所定のサブフィールドにおいて、それら２つの放電セルのいずれか一方の放電セルを点灯から非点灯に変更するとともに、その一方の放電セルを所定のサブフィールドの次に輝度重みが大きいサブフィールドで点灯にすることを特徴とする。
【００２３】
これにより、大画面化、高輝度化、高精細化されたパネルを用いたプラズマディスプレイ装置においても、書込み期間における異常放電の発生を抑えて書込み動作を安定にし、点灯パターンを変更する放電セルにおける輝度変化を低減して、画像表示品質を向上させることが可能となる。
【発明の効果】
【００２４】
本発明によれば、大画面化、高輝度化、高精細化されたパネルにおいても、書込み期間における異常放電の発生を抑えて書込み動作を安定にし、画像表示品質を向上させることができるパネルの駆動方法およびプラズマディスプレイ装置を提供することが可能となる。
【図面の簡単な説明】
【００２５】
【図１】本発明の実施の形態１におけるパネルの構造を示す分解斜視図である。
【図２】同パネルの電極配列図である。
【図３】同パネルの各電極に印加する駆動電圧波形図である。
【図４】本発明の実施の形態１におけるプラズマディスプレイ装置の回路ブロック図である。
【図５】本発明の実施の形態１におけるパネルに形成された放電セルを概略的に示す図である。
【図６】本発明の実施の形態１における図５に示した放電セル（ｉ，ｊ−１）、放電セル（ｉ，ｊ）、放電セル（ｉ，ｊ＋１）に生じた「誤書込み発生パターン」の一例を模式的に示した図である。
【図７Ａ】本発明の実施の形態１における連続する３つの放電セルに「誤書込み発生パターン」が生じたときの点灯パターンの変更例を模式的に示す図である。
【図７Ｂ】同連続する３つの放電セルに「誤書込み発生パターン」が生じたときの点灯パターンの変更例を模式的に示す図である。
【図８】図５に示した放電セル（ｉ，ｊ−１）、放電セル（ｉ，ｊ）、放電セル（ｉ，ｊ＋１）に生じた「誤書込み発生パターン」の一例を模式的に示す図である。
【図９】放電セル（ｉ，ｊ−１）、放電セル（ｉ，ｊ）、放電セル（ｉ，ｊ＋１）に生じた「誤書込み発生パターン」の他の一例を模式的に示す図である。
【図１０】本発明の実施の形態２における連続する３つの放電セルに「誤書込み発生パターン」が生じたときの点灯パターンの変更例を模式的に示す図である。
【発明を実施するための形態】
【００２６】
以下、本発明の実施の形態におけるプラズマディスプレイ装置について、図面を用いて説明する。
【００２７】
（実施の形態１）
図１は、本発明の実施の形態１におけるパネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。また、保護層２６は、酸化マグネシウム（ＭｇＯ）を主成分とする材料から形成されている。
【００２８】
背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２９】
これら前面板２１と背面板３１とは、微小な放電空間を挟んで表示電極対２４とデータ電極３２とが交差するように対向配置されている。そして、その外周部はガラスフリット等の封着材によって封着されている。そして、内部の放電空間には、ネオンとキセノンの混合ガスが放電ガスとして封入されている。なお、本実施の形態では、発光効率を向上させるためにキセノン分圧を約１０％とした放電ガスを用いている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００３０】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００３１】
図２は、本発明の実施の形態１におけるパネル１０の電極配列図である。パネル１０には、行方向に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｋ（ｋ＝１〜ｍ）とが交差した部分に放電セルが形成され、放電セルは放電空間内にｍ×ｎ個形成されている。そして、ｍ×ｎ個の放電セルが形成された領域がパネル１０の表示領域となる。
【００３２】
次に、パネル１０を駆動するための駆動電圧波形とその動作の概要について説明する。なお、本実施の形態におけるプラズマディスプレイ装置は、１フィールドを時間軸上で複数のサブフィールドに分割し、各サブフィールドに輝度重みをそれぞれ設定し、サブフィールド毎に各放電セルの発光・非発光を制御するサブフィールド法によって階調表示を行うものとする。
【００３３】
このサブフィールド法では、例えば、１フィールドを８つのサブフィールド（第１ＳＦ、第２ＳＦ、・・・、第８ＳＦ）で構成し、時間的に後のサブフィールドほど輝度重みが大きくなるように、各サブフィールドはそれぞれ（１、２、４、８、１６、３２、６４、１２８）の輝度重みを有する構成とすることができる。また、複数のサブフィールドのうち、１つのサブフィールドの初期化期間においては全ての放電セルに初期化放電を発生させる全セル初期化動作を行い（以下、全セル初期化動作を行うサブフィールドを「全セル初期化サブフィールド」と呼称する）、他のサブフィールドの初期化期間においては維持放電を行った放電セルに対して選択的に初期化放電を発生させる選択初期化動作を行う（以下、選択初期化動作を行うサブフィールドを「選択初期化サブフィールド」と呼称する）ことで、階調表示に関係しない発光を極力減らしコントラスト比を向上させることが可能である。
【００３４】
そして、本実施の形態では、第１ＳＦの初期化期間では全セル初期化動作を行い、第２ＳＦ〜第８ＳＦの初期化期間では選択初期化動作を行うものとする。これにより、画像の表示に関係のない発光は第１ＳＦにおける全セル初期化動作の放電にともなう発光のみとなる。したがって、維持放電を発生させない黒表示領域の輝度である黒輝度は全セル初期化動作における微弱発光だけとなって、コントラストの高い画像表示が可能となる。また、各サブフィールドの維持期間においては、それぞれのサブフィールドの輝度重みに所定の輝度倍率を乗じた数の維持パルスを表示電極対２４のそれぞれに印加する。
【００３５】
しかし、本実施の形態は、サブフィールド数や各サブフィールドの輝度重みが上記の値に限定されるものではなく、また、画像信号等にもとづいてサブフィールド構成を切換える構成であってもよい。
【００３６】
図３は、本発明の実施の形態１におけるパネル１０の各電極に印加する駆動電圧波形図である。図３には、書込み期間において最初に走査を行う走査電極ＳＣ１、書込み期間において最後に走査を行う走査電極ＳＣｎ（例えば、走査電極ＳＣ１０８０）、維持電極ＳＵ１〜維持電極ＳＵｎ、およびデータ電極Ｄ１〜データ電極Ｄｍの駆動波形を示す。
【００３７】
また、図３には、２つのサブフィールドの駆動電圧波形、すなわち全セル初期化サブフィールドである第１サブフィールド（第１ＳＦ）と、選択初期化サブフィールドである第２サブフィールド（第２ＳＦ）とを示す。なお、他のサブフィールドにおける駆動電圧波形は、維持期間における維持パルスの発生数が異なる以外は第２ＳＦの駆動電圧波形とほぼ同様である。また、以下における走査電極ＳＣｉ、維持電極ＳＵｉ、データ電極Ｄｋは、各電極の中から画像データ（サブフィールド毎の発光・非発光を示すデータ）にもとづき選択された電極を表す。
【００３８】
まず、全セル初期化サブフィールドである第１ＳＦについて説明する。
【００３９】
第１ＳＦの初期化期間前半部では、データ電極Ｄ１〜データ電極Ｄｍ、維持電極ＳＵ１〜維持電極ＳＵｎにはそれぞれ０（Ｖ）を印加し、走査電極ＳＣ１〜走査電極ＳＣｎには、電圧Ｖｉ１を印加する。このとき、電圧Ｖｉ１は、維持電極ＳＵ１〜維持電極ＳＵｎに対して放電開始電圧未満の電圧にする。さらに電圧Ｖｉ１から、電圧Ｖｉ２に向かって緩やかに（例えば、約１．３Ｖ／μｓｅｃの勾配で）上昇する傾斜電圧（以下、「上りランプ電圧」と呼称する）Ｌ１を印加する。このとき、電圧Ｖｉ２は維持電極ＳＵ１〜維持電極ＳＵｎに対して放電開始電圧を超える電圧にする。
【００４０】
この上りランプ電圧Ｌ１が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が持続して起こる。そして、走査電極ＳＣ１〜走査電極ＳＣｎ上部に負の壁電圧が蓄積されるとともに、データ電極Ｄ１〜データ電極Ｄｍ上部および維持電極ＳＵ１〜維持電極ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００４１】
初期化期間後半部では、維持電極ＳＵ１〜維持電極ＳＵｎには正の電圧Ｖｅ１を印加し、データ電極Ｄ１〜データ電極Ｄｍには０（Ｖ）を印加し、走査電極ＳＣ１〜走査電極ＳＣｎには、維持電極ＳＵ１〜維持電極ＳＵｎに対して放電開始電圧未満となる電圧Ｖｉ３から放電開始電圧を超える負の電圧Ｖｉ４に向かって緩やかに（例えば、約−２．５Ｖ／μｓｅｃの勾配で）下降する傾斜電圧（以下、「下りランプ電圧」と呼称する）Ｌ２を印加する。
【００４２】
この間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が起こる。そして、走査電極ＳＣ１〜走査電極ＳＣｎ上部の負の壁電圧および維持電極ＳＵ１〜維持電極ＳＵｎ上部の正の壁電圧が弱められ、データ電極Ｄ１〜データ電極Ｄｍ上部の正の壁電圧は書込み動作に適した値に調整される。以上により、全ての放電セルに対して初期化放電を行う全セル初期化動作が終了する。
【００４３】
続く書込み期間では、走査電極ＳＣ１〜走査電極ＳＣｎに対しては順次走査パルス電圧Ｖａを印加し、データ電極Ｄ１〜データ電極Ｄｍに対しては発光させるべき放電セルに対応するデータ電極Ｄｋ（ｋ＝１〜ｍ）に正の書込みパルス電圧Ｖｄを印加して、各放電セルに選択的に書込み放電を発生させる。
【００４４】
具体的には、まず維持電極ＳＵ１〜維持電極ＳＵｎに電圧Ｖｅ２を印加し、走査電極ＳＣ１〜走査電極ＳＣｎに電圧Ｖｃ（電圧Ｖｃ＝電圧Ｖａ＋電圧Ｖｓｃ）を印加する。
【００４５】
そして、１行目の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（電圧Ｖｄ−電圧Ｖａ）にデータ電極Ｄｋ上の壁電圧と走査電極ＳＣ１上の壁電圧との差が加算されたものとなり放電開始電圧を超える。これにより、データ電極Ｄｋと走査電極ＳＣ１との間に放電が発生する。また、維持電極ＳＵ１〜維持電極ＳＵｎに電圧Ｖｅ２を印加しているため、維持電極ＳＵ１上と走査電極ＳＣ１上との電圧差は、外部印加電圧の差である（電圧Ｖｅ２−電圧Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態にすることができる。これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００４６】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜データ電極Ｄｍと走査電極ＳＣ１との交差部の電圧は放電開始電圧を超えないので、書込み放電は発生しない。以上の書込み動作をｎ行目の放電セルに至るまで順次行い、書込み期間が終了する。
【００４７】
続く維持期間では、輝度重みに所定の輝度倍率を乗じた数の維持パルスを表示電極対２４に交互に印加して、書込み放電を発生した放電セルで維持放電を発生させて発光させる。
【００４８】
この維持期間では、まず走査電極ＳＣ１〜走査電極ＳＣｎに正の維持パルス電圧Ｖｓを印加するとともに維持電極ＳＵ１〜維持電極ＳＵｎにベース電位となる接地電位、すなわち０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。
【００４９】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００５０】
続いて、走査電極ＳＣ１〜走査電極ＳＣｎにはベース電位となる０（Ｖ）を、維持電極ＳＵ１〜維持電極ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので、再び維持電極ＳＵｉと走査電極ＳＣｉとの間に維持放電が起こり、維持電極ＳＵｉ上に負の壁電圧が蓄積され、走査電極ＳＣｉ上に正の壁電圧が蓄積される。以降同様に、走査電極ＳＣ１〜走査電極ＳＣｎと維持電極ＳＵ１〜維持電極ＳＵｎとに、輝度重みに輝度倍率を乗じた数の維持パルスを交互に印加することで、書込み期間において書込み放電を起こした放電セルで維持放電が継続して発生する。
【００５１】
そして、維持期間における維持パルスの発生後に、維持電極ＳＵ１〜維持電極ＳＵｎおよびデータ電極Ｄ１〜データ電極Ｄｍには０（Ｖ）を印加したまま、走査電極ＳＣ１〜走査電極ＳＣｎに、０（Ｖ）から放電開始電圧を超える電圧Ｖｅｒｓに向かって緩やかに（例えば、約１０Ｖ／μｓｅｃ）上昇する傾斜電圧（以下、「消去ランプ電圧」と呼称する）Ｌ３を印加する。これにより、維持放電を起こした放電セルの維持電極ＳＵｉと走査電極ＳＣｉとの間で、微弱な放電が発生する。この微弱な放電は、走査電極ＳＣ１〜走査電極ＳＣｎへの印加電圧が上昇する期間、持続して発生する。そして、上昇する電圧があらかじめ定めた電圧Ｖｅｒｓに到達したら、走査電極ＳＣ１〜走査電極ＳＣｎに印加する電圧をベース電位となる０（Ｖ）まで下降させる。
【００５２】
このとき、この微弱な放電で発生した荷電粒子は、維持電極ＳＵｉと走査電極ＳＣｉとの間の電圧差を緩和するように、維持電極ＳＵｉ上および走査電極ＳＣｉ上に蓄積されていく。したがって、維持放電が発生した放電セルにおいて、走査電極ＳＣ１〜走査電極ＳＣｎ上と維持電極ＳＵ１〜維持電極ＳＵｎ上との間の壁電圧は、走査電極ＳＣｉに印加した電圧と放電開始電圧の差、すなわち（電圧Ｖｅｒｓ−放電開始電圧）の程度まで弱められる。これにより、維持放電が発生した放電セルにおいて、データ電極Ｄｋ上の正の壁電荷を残したまま、走査電極ＳＣｉおよび維持電極ＳＵｉ上の、壁電圧の一部または全部が消去される。すなわち、消去ランプ電圧Ｌ３によって発生する放電は、維持放電が発生した放電セル内に蓄積された不要な壁電荷を消去する「消去放電」として働く（以下、消去ランプ電圧Ｌ３によって発生させる放電を「消去放電」と呼称する）。
【００５３】
その後、走査電極ＳＣ１〜走査電極ＳＣｎを０（Ｖ）に戻し、維持期間における維持動作が終了する。
【００５４】
第２ＳＦの初期化期間では、第１ＳＦにおける初期化期間の前半部を省略した駆動電圧波形を各電極に印加する。すなわち、維持電極ＳＵ１〜維持電極ＳＵｎに電圧Ｖｅ１を、データ電極Ｄ１〜データ電極Ｄｍに０（Ｖ）をそれぞれ印加し、走査電極ＳＣ１〜走査電極ＳＣｎには放電開始電圧未満となる電圧（例えば、０（Ｖ））から放電開始電圧を超える負の電圧Ｖｉ４に向かって緩やかに（例えば、約−２．５Ｖ／μｓｅｃの勾配で）下降する下りランプ電圧Ｌ４を印加する。
【００５５】
これにより直前のサブフィールド（図３では、第１ＳＦ）の維持期間で維持放電を起こした放電セルでは微弱な初期化放電が発生し、走査電極ＳＣｉ上部および維持電極ＳＵｉ上部の壁電圧が弱められ、データ電極Ｄｋ（ｋ＝１〜ｍ）上部の壁電圧も書込み動作に適した値に調整される。一方、直前のサブフィールドの維持期間で維持放電を起こさなかった放電セルでは初期化放電は発生しない。このように第２ＳＦにおける初期化動作は、直前のサブフィールドの維持期間で維持動作を行った放電セルに対して初期化放電を行う選択初期化動作となる。
【００５６】
第２ＳＦの書込み期間では、走査電極ＳＣ１〜走査電極ＳＣｎ、維持電極ＳＵ１〜維持電極ＳＵｎおよびデータ電極Ｄ１〜データ電極Ｄｍに対して第１ＳＦの書込み期間と同様の駆動波形を印加する。第２ＳＦの維持期間では、第１ＳＦの維持期間と同様に、走査電極ＳＣ１〜走査電極ＳＣｎと維持電極ＳＵ１〜維持電極ＳＵｎとにあらかじめ定められた数の維持パルスを交互に印加する。
【００５７】
また、第３ＳＦ以降のサブフィールドでは、走査電極ＳＣ１〜走査電極ＳＣｎ、維持電極ＳＵ１〜維持電極ＳＵｎおよびデータ電極Ｄ１〜データ電極Ｄｍに対して、維持期間における維持パルスの発生数が異なる以外は第２ＳＦと同様の駆動波形を印加する。
【００５８】
以上が、パネル１０の各電極に印加する駆動電圧波形の概要である。
【００５９】
次に、本実施の形態におけるプラズマディスプレイ装置の構成について説明する。図４は、本発明の実施の形態１におけるプラズマディスプレイ装置１の回路ブロック図である。プラズマディスプレイ装置１は、パネル１０、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００６０】
画像信号処理回路４１は、入力された画像信号ｓｉｇにもとづき各放電セルに１フィールドで表現される階調値を割り当て、各放電セルに割り当てられた階調値をサブフィールド毎の発光・非発光を示す画像データに変換する。また、表示電極対２４が延伸する方向に配列された連続する３つの放電セルにおいて、各サブフィールドの点灯パターンが、後述する「誤書込み発生パターン」にあてはまるかどうかを判定し、その判定結果にもとづき点灯パターンの一部を変更する。この詳細については後述する。
【００６１】
タイミング発生回路４５は、水平同期信号Ｈおよび垂直同期信号Ｖにもとづき各回路ブロックの動作を制御する各種のタイミング信号を発生し、それぞれの回路ブロック（画像信号処理回路４１、データ電極駆動回路４２、走査電極駆動回路４３および維持電極駆動回路４４）へ供給する。
【００６２】
データ電極駆動回路４２は、画像データを構成するサブフィールド毎のデータを各データ電極Ｄ１〜データ電極Ｄｍに対応する信号に変換し、タイミング発生回路４５から供給されるタイミング信号にもとづいて各データ電極Ｄ１〜データ電極Ｄｍを駆動する。
【００６３】
走査電極駆動回路４３は、初期化期間に走査電極ＳＣ１〜走査電極ＳＣｎに印加する初期化波形を発生する初期化波形発生回路、維持期間に走査電極ＳＣ１〜走査電極ＳＣｎに印加する維持パルスを発生する維持パルス発生回路、複数の走査電極駆動ＩＣ（以下、「走査ＩＣ」と略記する）を備え書込み期間に走査電極ＳＣ１〜走査電極ＳＣｎに印加する走査パルスを発生する走査パルス発生回路を有する。そして、タイミング発生回路４５から供給されるタイミング信号にもとづいて各走査電極ＳＣ１〜走査電極ＳＣｎをそれぞれ駆動する。
【００６４】
維持電極駆動回路４４は、維持パルス発生回路および電圧Ｖｅ１、電圧Ｖｅ２を発生する回路（図示せず）を備え、タイミング発生回路４５から供給されるタイミング信号にもとづいて維持電極ＳＵ１〜維持電極ＳＵｎを駆動する。
【００６５】
なお、本実施の形態では、上述したように、表示電極対２４が延伸する方向に配列された連続する３つの放電セル（以下、単に「連続する３つの放電セル」と記す）において、各サブフィールドの点灯パターンが、「誤書込み発生パターン」にあてはまるかどうかを判定し、その判定結果にもとづき点灯パターンの一部を変更する構成としている。
【００６６】
具体的には、連続する３つの放電セルのうち、中央の放電セルは全てのサブフィールドが非点灯となり、中央の放電セルの両側の２つの放電セル（以下、単に、「両側の２つの放電セル」と記す）は所定のサブフィールド（本実施の形態では、全セル初期化サブフィールドである第１ＳＦ）がともに点灯となるかどうかを判定する。本実施の形態では、この点灯パターンを「誤書込み発生パターン」と呼称する。
【００６７】
そして、連続する３つの放電セルにおける各サブフィールドの点灯パターンが「誤書込み発生パターン」にあてはまるときには、所定のサブフィールド（本実施の形態では、全セル初期化サブフィールドである第１ＳＦ）において、両側の２つの放電セルのいずれか一方の放電セルを点灯から非点灯に変更する。
【００６８】
これは、本発明者が、上述の「誤書込み発生パターン」が生じたときに所定のサブフィールドにおいて中央の放電セルに誤書込みが発生しやすく、そのときに上述の対策を施すことでその誤書込みの発生が低減されることを実験的に確認したためである。
【００６９】
この「誤書込み発生パターン」について図面を用いて説明する。図５は、本発明の実施の形態１におけるパネル１０に形成された放電セルを概略的に示す図である。また、図６は、図５に示した放電セル（ｉ，ｊ−１）、放電セル（ｉ，ｊ）、放電セル（ｉ，ｊ＋１）に生じた「誤書込み発生パターン」の一例を模式的に示した図である。
【００７０】
なお、図５には、ｉ−１行目からｉ＋１行目までの３行、およびｊ−２列からｊ＋２列までの５列の計１５個の放電セルを示す。また、以下の説明では、例えばｉ行ｊ列にある放電セルは、放電セル（ｉ，ｊ）と記す。また、図６において、「○」はそのサブフィールドが点灯することを表し、「×」はそのサブフィールドが非点灯であることを表す。
【００７１】
また、以下、連続する３つの放電セルとして、図５に示す放電セル（ｉ，ｊ−１）、放電セル（ｉ，ｊ）、放電セル（ｉ，ｊ＋１）を例に挙げて説明を行う。この例では、中央の放電セルは放電セル（ｉ，ｊ）であり、両側の２つの放電セルは放電セル（ｉ，ｊ−１）、放電セル（ｉ，ｊ＋１）である。
【００７２】
図６に示した例では、放電セル（ｉ，ｊ）は全てのサブフィールドが非点灯であり、放電セル（ｉ，ｊ−１）、放電セル（ｉ，ｊ＋１））は所定のサブフィールドである第１ＳＦがともに点灯となる。例えば、このような点灯パターンのとき、放電セル（ｉ，ｊ）では、所定のサブフィールドである第１ＳＦで誤書込みが発生しやすい。
【００７３】
これは、次のような理由によるものと思われる。
【００７４】
パネルの高精細化にともない微細化された放電セルでは、初期化放電によって放電セル内に形成された壁電荷が、隣接する放電セルに発生する書込み放電や維持放電の影響を受けて変化しやすい。
【００７５】
また、高輝度化するためにキセノン分圧を大きくしたパネルでは、放電開始電圧のばらつきが大きくなりやすい。
【００７６】
また、パネルの大画面化、高精細化にともない、パネルの駆動インピーダンスは増大する傾向にある。そのため、同一表示電極対上に形成される放電セルであっても、駆動回路に近い位置に形成される放電セルと、駆動回路から遠い位置に形成される放電セルとでは、駆動電圧の電圧降下の差は拡大する。
【００７７】
これらのことから、大画面化、高輝度化、高精細化されたパネルでは、放電の発生にばらつきが生じやすく、比較的放電が発生しやすい放電セルと比較的放電が発生しにくい放電セル、すなわち、同じ駆動電圧を印加したときに、時間的に早く放電が発生する放電セルと遅く放電が発生する放電セルとが生じる可能性がある。
【００７８】
このようなパネルにおいて、全ての放電セルで安定に放電を発生させるためには、放電セルに印加する電圧を高めればよい。例えば、比較的放電が発生しにくい放電セルで安定した書込み放電を発生させるためには、書込み期間に走査電極２２に印加する負の走査パルス電圧Ｖａを下げて、走査パルスの振幅をより大きくすればよい。あるいは、比較的放電が発生しにくい放電セルで十分な初期化動作を行うためには、例えば上りランプ電圧Ｌ１の最大電圧Ｖｉ２を上げて、初期化放電の持続時間が十分になるようにすればよい。
【００７９】
しかし、比較的放電が発生しやすい放電セルでは、比較的放電が発生しにくい放電セルと比較して、初期化放電が時間的に早く発生する。そのため、比較的放電が発生しやすい放電セルでは、例えば、上りランプ電圧Ｌ１の最大電圧Ｖｉ２を上げると、初期化放電が時間的に早く発生する分、初期化放電の持続時間が長くなり、過剰に初期化されることとなる。
【００８０】
そして、過剰に初期化された放電セルでは、走査電極２２上に負の壁電荷が過剰に蓄積することがある。そのような放電セルは、放電が比較的発生しやすい状態となり、その放電セルで書込み動作が行われると、書込み放電が比較的強く発生する。
【００８１】
また、連続する３つの放電セルにおいて、中央の放電セルでは書込み動作が行われず（すなわち、書込みパルスが印加されず）、両側の２つの放電セルではともに書込み動作が行われたときに、上述した理由により両側の２つの放電セルに比較的強い書込み放電が発生すると、その書込み放電で生じたプライミング粒子の一部が、両側の２つの放電セルから中央の放電セルに漏れ込んでくることがある。この現象を、以下、「クロストーク」と呼称する。また、このクロストークによるプライミング粒子の移動は、パネルの高精細化にともない微細化が進んだ放電セルで発生しやすい。
【００８２】
このとき、中央の放電セルの走査電極２２上に負の壁電荷が過剰に蓄積していると、中央の放電セルでは、走査パルスを印加するだけで放電開始電圧を超えることがある。そのような場合、クロストークにより両側の２つの放電セルから中央の放電セルに漏れ込んでくるプライミング粒子がトリガーとなり、中央の放電セルに、書込みパルスが印加されることなく放電が発生することがある。このようにして、連続する３つの放電セルに「誤書込み発生パターン」が生じたときに、中央の放電セルに誤書込みが発生すると考えられる。
【００８３】
一方、本発明者は、連続する３つの放電セルに「誤書込み発生パターン」が生じたときに、所定のサブフィールドにおいて、両端の２つの放電セルのいずれか一方の放電セルを点灯から非点灯に変更することで、誤書込みの発生が低減されることを実験的に確認した。
【００８４】
図７Ａ、図７Ｂは、本発明の実施の形態１における連続する３つの放電セルに「誤書込み発生パターン」が生じたときの点灯パターンの変更例を模式的に示す図である。図７Ａは、図６に示した「誤書込み発生パターン」が生じたときに放電セル（ｉ，ｊ＋１）の点灯パターンを変更するときの例を示した図であり、図７Ｂは、図６に示した「誤書込み発生パターン」が生じたときに放電セル（ｉ，ｊ−１）の点灯パターンを変更するときの例を示した図である。
【００８５】
例えば、図６に示した「誤書込み発生パターン」が生じたときには、図７Ａに示すように、所定のサブフィールドである第１ＳＦにおいて、放電セル（ｉ，ｊ＋１）を点灯から非点灯に変更する。あるいは、図７Ｂに示すように、所定のサブフィールドである第１ＳＦにおいて、放電セル（ｉ，ｊ−１）を点灯から非点灯に変更してもよい。
【００８６】
このように、連続する３つの放電セルに「誤書込み発生パターン」が生じたときには、所定のサブフィールド（本実施の形態では、第１ＳＦ）において、両側の２つの放電セル（図６に示す例では、放電セル（ｉ，ｊ−１）、放電セル（ｉ，ｊ＋１））のいずれか一方の放電セルを点灯から非点灯に変更する。こうすることで、所定のサブフィールド（本実施の形態では、第１ＳＦ）において、中央の放電セル（図６に示す例では、放電セル（ｉ，ｊ））に漏れ込んでくるプライミング粒子を半減することができ、中央の放電セルにおける誤書込みを低減することができる。
【００８７】
さらに、本実施の形態では、連続する３つの放電セルに「誤書込み発生パターン」が生じたとき、所定のサブフィールドにおいて、両側の２つの放電セルのいずれか一方の放電セルを点灯から非点灯に変更するとともに、その放電セルを、所定のサブフィールドの次に輝度重みが大きいサブフィールド（本実施の形態では、第２ＳＦ）で点灯にするものとする。
【００８８】
例えば、図７Ａに示す例では、所定のサブフィールドである第１ＳＦにおいて放電セル（ｉ，ｊ＋１）を点灯から非点灯に変更するとともに、第１ＳＦ（本実施の形態では、輝度重み「１」）の次に輝度重みの大きいサブフィールド（本実施の形態では、輝度重み「２」の第２ＳＦ）で同放電セル（ｉ，ｊ＋１）を点灯にする。あるいは、図７Ｂに示す例では、所定のサブフィールドである第１ＳＦにおいて放電セル（ｉ，ｊ−１）を点灯から非点灯に変更するとともに、第１ＳＦ（本実施の形態では、輝度重み「１」）の次に輝度重みの大きいサブフィールド（本実施の形態では、輝度重み「２」の第２ＳＦ）で同放電セル（ｉ，ｊ−１）を点灯にする。
【００８９】
これにより、点灯パターンを変更する放電セル（図７Ａに示す例では、放電セル（ｉ，ｊ＋１）、図７Ｂに示す例では、放電セル（ｉ，ｊ−１））における輝度変化を低減し、画像表示品質をさらに向上することが可能となる。
【００９０】
なお、時間的に後のサブフィールドほど輝度重みが大きくなるように輝度重みが設定されていない場合、例えば、１フィールドを８つのサブフィールド（第１ＳＦ、第２ＳＦ、・・・、第８ＳＦ）で構成し、各サブフィールドにそれぞれ（１、４、１６、６４、２、８、３２、１２８）の輝度重みを設定する構成では、所定のサブフィールドを第１ＳＦとすると、第１ＳＦの次に輝度重みの大きいサブフィールドは輝度重み「２」の第５ＳＦとなる。この場合には、第１ＳＦを非点灯にするとともに第５ＳＦを点灯にすればよい。
【００９１】
なお、本実施の形態では、画像信号にもとづいて各放電セルの各サブフィールドに点灯・非点灯を割り当てたときに、表示電極対２４が延伸する方向に配列された連続する３つの放電セルの各サブフィールドの点灯パターンが「誤書込み発生パターン」にあてはまるかどうかを、画像信号処理回路４１において判定するものとする。すなわち、中央の放電セルは全てのサブフィールドが非点灯となり、両側の２つの放電セルは所定のサブフィールド（本実施の形態では、全セル初期化サブフィールドである第１ＳＦ）でともに点灯となるかどうかを、画像信号処理回路４１において判定するものとする。そして、「誤書込み発生パターン」が生じたときには、所定のサブフィールド（本実施の形態では、第１ＳＦ）において、両側の２つの放電セルのいずれか一方の放電セルを点灯から非点灯にし、さらに、その放電セルを、所定のサブフィールドの次に輝度重みが大きいサブフィールド（本実施の形態では、第２ＳＦ）で点灯にする変更を画像信号処理回路４１において行うものとする。
【００９２】
以上説明したように、本実施の形態では、連続する３つの放電セルに「誤書込み発生パターン」が生じたとき、所定のサブフィールドにおいて両側の２つの放電セルのいずれか一方の放電セルを点灯から非点灯に変更するものとする。あわせて、同放電セルを、所定のサブフィールドの次に輝度重みが大きいサブフィールドで点灯にするものとする。これにより、連続する３つの放電セルに「誤書込み発生パターン」が生じたときに、所定のサブフィールドにおいて中央の放電セルに発生しやすい誤書込みを低減し、かつ、点灯パターンを変更する放電セルにおける輝度変化を低減して画像表示品質を向上することが可能となる。
【００９３】
なお、中央の放電セルの階調値が、所定のサブフィールドよりも輝度重みが大きいサブフィールドで点灯する階調値、本実施の形態では、第２ＳＦ〜第８ＳＦのいずれかのサブフィールドで点灯する階調値であれば、中央の放電セルに所定のサブフィールドで誤書込みが発生したとしても、誤書込みが発生したことが知覚されにくい。そこで、本実施の形態では、中央の放電セルは全てのサブフィールドで非点灯となり、両側の２つの放電セルは所定のサブフィールドでともに点灯となる点灯パターンを「誤書込み発生パターン」としている。
【００９４】
なお、全セル初期化サブフィールドで形成される壁電荷は、時間の経過とともに徐々に失われていく。したがって、中央の放電セルは全てのサブフィールドで非点灯であり、両側の２つの放電セルは全セル初期化サブフィールドよりも後のいずれかのサブフィールドでともに点灯したとしても、パネルの特性やプラズマディスプレイ装置の仕様等によっては、そのサブフィールドで中央の放電セルに誤書込みが発生しにくいこともある。このことから、所定のサブフィールドを全セル初期化サブフィールドに限定する構成としてもかまわない。
【００９５】
また、本実施の形態では、第１ＳＦを全セル初期化サブフィールドとし、第１ＳＦを所定のサブフィールドとする構成を説明したが、本発明は何らこの構成に限定されるものではない。例えば、全セル初期化サブフィールドが第２ＳＦであれば、所定のサブフィールドを第２ＳＦとしてもよい。
【００９６】
あるいは、パネルの特性やプラズマディスプレイ装置の仕様（駆動電圧波形の波形形状等）によっては、全セル初期化サブフィールド以外のサブフィールドでも、放電セル内に負の壁電荷が過剰に蓄積され、誤書込みが発生することがある。そのような場合には、所定のサブフィールドを全セル初期化サブフィールドに限定せず、パネルの特性やプラズマディスプレイ装置の仕様等に応じて最適に設定することが望ましい。
【００９７】
（実施の形態２）
実施の形態１では、連続する３つの放電セルに「誤書込み発生パターン」が生じたときに、所定のサブフィールドにおいて両側の２つの放電セルのいずれか一方の放電セルを点灯から非点灯に変更することで、中央の放電セルにおける誤書込みを低減する構成を説明した。しかし、パネルの特性やプラズマディスプレイ装置の仕様等によっては、連続する３つの放電セルに「誤書込み発生パターン」が生じたとしても、中央の放電セルに誤書込みが比較的発生しにくいこともある。
【００９８】
例えば、現フィールドの直前のフィールドにおいて中央の放電セルが全てのサブフィールドで非点灯であれば、現フィールドにおいて連続する３つの放電セルに「誤書込み発生パターン」が生じたとしても、現フィールドの所定のサブフィールドにおいて中央の放電セルに誤書込みは比較的発生しにくいことが確認された。
【００９９】
図８は、図５に示した放電セル（ｉ，ｊ−１）、放電セル（ｉ，ｊ）、放電セル（ｉ，ｊ＋１）に生じた「誤書込み発生パターン」の一例を模式的に示す図である。図８には、時間的に連続する２つのフィールド、すなわち、（Ｎ−１）フィールド、Ｎフィールドの、放電セル（ｉ，ｊ−１）、放電セル（ｉ，ｊ）、放電セル（ｉ，ｊ＋１）における各サブフィールドの点灯・非点灯を模式的に示す。なお、図８において、「○」はそのサブフィールドが点灯することを表し、「×」はそのサブフィールドが非点灯であることを表し、「−」はそのサブフィールドが点灯または非点灯のいずれかであることを表す。また、「Ｎ」は自然数を表す。
【０１００】
例えば、図８に示す例では、現フィールドであるＮフィールドにおいて、所定のサブフィールドである第１ＳＦに「誤書込み発生パターン」が生じている。しかし、現フィールドの直前のフィールドである（Ｎ−１）フィールドでは、中央の放電セルである放電セル（ｉ，ｊ）は、全てのサブフィールドで非点灯である。このような点灯パターンのときには、Ｎフィールドの第１ＳＦにおいて、放電セル（ｉ，ｊ）に誤書込みは比較的発生しにくい。
【０１０１】
逆に、現フィールドの直前のフィールドにおいていずれか１つ以上のサブフィールドで中央の放電セルが点灯すると、現フィールドにおいて連続する３つの放電セルに「誤書込み発生パターン」が生じたときに、現フィールドの所定のサブフィールドにおいて中央の放電セルに誤書込みが発生しやすい。
【０１０２】
図９は、放電セル（ｉ，ｊ−１）、放電セル（ｉ，ｊ）、放電セル（ｉ，ｊ＋１）に生じた「誤書込み発生パターン」の他の一例を模式的に示す図である。図９には、図８と同様に、時間的に連続する２つのフィールド、すなわち、（Ｎ−１）フィールド、Ｎフィールドの、放電セル（ｉ，ｊ−１）、放電セル（ｉ，ｊ）、放電セル（ｉ，ｊ＋１）における各サブフィールドの点灯・非点灯を模式的に示す。
【０１０３】
例えば、図９に示す例では、現フィールドであるＮフィールドにおいて、所定のサブフィールドである第１ＳＦに「誤書込み発生パターン」が生じている。そして、現フィールドの直前のフィールドである（Ｎ−１）フィールドでは、中央の放電セルである放電セル（ｉ，ｊ）が、いずれか１つ以上のサブフィールドで点灯する。このような点灯パターンのときには、Ｎフィールドの第１ＳＦにおいて、放電セル（ｉ，ｊ）に誤書込みが比較的発生しやすい。
【０１０４】
なお、図９には示していないが、例えば、現フィールドの直前のフィールドにおいて中央の放電セルが全てのサブフィールドで非点灯であっても、そのフィールドにおいていずれか１つ以上のサブフィールドで中央の放電セルに誤書込みが発生すると、現フィールドにおいて連続する３つの放電セルに「誤書込み発生パターン」が生じたときに、現フィールドの所定のサブフィールドにおいて中央の放電セルに誤書込みが発生しやすいことも確認された。
【０１０５】
これは、次のような理由によるものと思われる。
【０１０６】
現フィールドの直前のフィールドにおけるいずれか１つ以上のサブフィールドで中央の放電セルが点灯すると、その点灯により生じたプライミング粒子が中央の放電セル内に残留する。この残留プライミング粒子と、現フィールドにおいて「誤書込み発生パターン」が生じることで中央の放電セルに漏れ込んでくるプライミング粒子とが反応することで、現フィールドの所定のサブフィールドにおいて、中央の放電セルに誤書込みが発生すると考えられる。
【０１０７】
逆に、現フィールドの直前のフィールドにおいて、中央の放電セルが全てのサブフィールドで非点灯であり、かつ誤書込みも生じなければ、現フィールドに上述の残留プライミング粒子が生じる可能性は低い。したがって、現フィールドにおいて「誤書込み発生パターン」が生じたとしても、中央の放電セルに漏れ込んでくるプライミング粒子と反応する残留プライミング粒子がほとんど存在しないため、現フィールドにおいて、中央の放電セルに誤書込みは比較的発生しにくいと考えられる。
【０１０８】
これらのことから、本実施の形態では、現フィールドの直前のフィールドで、中央の放電セルが１フィールドのうちのいずれか１つ以上のサブフィールドで点灯となり、かつ、現フィールドに「誤書込み発生パターン」が生じたときに、現フィールドの所定のサブフィールドにおいて、両側の２つの放電セルのいずれか一方の放電セルを点灯から非点灯に変更するとともに、同放電セルを所定のサブフィールドの次に輝度重みが大きいサブフィールドで点灯にするものとする。
【０１０９】
そして、現フィールドに「誤書込み発生パターン」が生じたとしても、中央の放電セルが、現フィールドの直前のフィールドの全てのサブフィールドで非点灯であり、かつ誤書込みの発生のおそれがなければ、現フィールドにおいて、点灯パターンの変更は行わないものとする。
【０１１０】
図１０は、本発明の実施の形態２における連続する３つの放電セルに「誤書込み発生パターン」が生じたときの点灯パターンの変更例を模式的に示す図である。図１０には、時間的に連続する３つのフィールド、すなわち、（Ｎ−１）フィールド、Ｎフィールド、（Ｎ＋１）フィールドの、放電セル（ｉ，ｊ）、放電セル（ｉ，ｊ−１）、放電セル（ｉ，ｊ＋１）における各サブフィールドの点灯・非点灯を模式的に示す。
【０１１１】
例えば、図１０に示す例では、現フィールドであるＮフィールドにおいて、所定のサブフィールドである第１ＳＦに「誤書込み発生パターン」が生じている。そして、現フィールドの直前のフィールドである（Ｎ−１）フィールドでは、中央の放電セルである放電セル（ｉ，ｊ）が、いずれか１つ以上のサブフィールドで点灯する。このような点灯パターンのときには、Ｎフィールドの所定のサブフィールドである第１ＳＦにおいて、両側の２つの放電セルのいずれか一方の放電セル（図１０に示す例では、放電セル（ｉ，ｊ＋１））を点灯から非点灯に変更する。これにより、放電セル（ｉ，ｊ）における第１ＳＦの誤書込みを防止する。あわせて、放電セル（ｉ，ｊ＋１）における輝度変化を低減するために、放電セル（ｉ，ｊ＋１）を、所定のサブフィールドの次に輝度重みが大きいサブフィールド（本実施の形態では、第２ＳＦ）で点灯にする。
【０１１２】
また、図１０に示す例では、現フィールドに続く（Ｎ＋１）フィールドにおいて、所定のサブフィールドである第１ＳＦに「誤書込み発生パターン」が生じている。しかし、現フィールドであるＮフィールドでは、中央の放電セルである放電セル（ｉ，ｊ）は、全てのサブフィールドで非点灯である。さらに、放電セル（ｉ，ｊ）での誤書込みを防止するために、放電セル（ｉ，ｊ＋１）の点灯パターンを変更している。このため、（Ｎ＋１）フィールドにおいて、点灯パターンの変更は行わない。
【０１１３】
以上説明したように、本実施の形態では、現フィールドの直前のフィールドで、中央の放電セルが１フィールドのうちのいずれか１つ以上のサブフィールドで点灯となり、かつ、現フィールドに「誤書込み発生パターン」が生じたときに、現フィールドの所定のサブフィールドにおいて、両側の２つの放電セルのいずれか一方の放電セルを点灯から非点灯に変更するとともに、同放電セルを所定のサブフィールドの次に輝度重みが大きいサブフィールドで点灯にするものとする。
【０１１４】
そして、現フィールドに「誤書込み発生パターン」が生じたとしても、中央の放電セルが、現フィールドの直前のフィールドの全てのサブフィールドで非点灯であり、かつ誤書込みの発生のおそれがなければ、現フィールドにおいて、点灯パターンの変更は行わないものとする。
【０１１５】
これにより、連続する３つの放電セルに「誤書込み発生パターン」が生じたときに、直前のフィールドにおける点灯パターンに応じて点灯パターンの変更を行うかどうかを決定し、誤書込みが発生しやすいフィールドだけで点灯パターンの変更を行う構成とすることができるので、放電セルに生じる輝度変化を必要最小限に抑えつつ誤書込みを低減することができ、画像表示品質をさらに向上することが可能となる。
【０１１６】
なお、図３に示した駆動電圧波形は実施の形態における一例を示したものに過ぎず、本発明は、何らこれらの駆動電圧波形に限定されるものではない。
【０１１７】
また、本発明における実施の形態は、走査電極ＳＣ１〜走査電極ＳＣｎを第１の走査電極群と第２の走査電極群とに分割し、書込み期間を、第１の走査電極群に属する走査電極のそれぞれに走査パルスを印加する第１の書込み期間と、第２の走査電極群に属する走査電極のそれぞれに走査パルスを印加する第２の書込み期間とで構成する、いわゆる２相駆動によるパネルの駆動方法にも適用させることができ、上述と同様の効果を得ることができる。
【０１１８】
なお、本発明における実施の形態は、走査電極と走査電極とが隣り合い、維持電極と維持電極とが隣り合う電極構造、すなわち前面板２１に設けられる電極の配列が、「・・・、走査電極、走査電極、維持電極、維持電極、走査電極、走査電極、・・・」となる電極構造のパネルにおいても有効である。
【０１１９】
なお、本発明は、サブフィールド構成（サブフィールド数や各サブフィールドの輝度重み等）が実施の形態で示した構成に何ら限定されるものではない。また、サブフィールド構成を画像信号等にもとづいて変更する構成であってもよい。また、本発明における実施の形態において示した具体的な各数値、例えば、上りランプ電圧Ｌ１、下りランプ電圧Ｌ２、消去ランプ電圧Ｌ３の各傾斜電圧の勾配等は、表示電極対数１０８０の５０インチのパネルの特性にもとづき設定したものであって、単に実施の形態の一例を示したものに過ぎない。本発明はこれらの数値に何ら限定されるものではなく、パネルの特性やプラズマディスプレイ装置の仕様等に合わせて最適に設定することが望ましい。また、これらの各数値は、上述した効果を得られる範囲でのばらつきを許容するものとする。
【産業上の利用可能性】
【０１２０】
本発明は、大画面化、高輝度化、高精細化されたパネルにおいても、書込み期間における異常放電の発生を抑えて書込み動作を安定にし、画像表示品質を向上させることができるので、パネルの駆動方法およびプラズマディスプレイ装置として有用である。
【符号の説明】
【０１２１】
１    プラズマディスプレイ装置
１０    パネル
２１    （ガラス製の）前面板
２２    走査電極
２３    維持電極
２４    表示電極対
２５，３３    誘電体層
２６    保護層
３１    背面板
３２    データ電極
３４    隔壁
３５    蛍光体層
４１    画像信号処理回路
４２    データ電極駆動回路
４３    走査電極駆動回路
４４    維持電極駆動回路
４５    タイミング発生回路
【図１】
2011033964.tif 000003
【図２】
2011033964.tif 000004
【図３】
2011033964.tif 000005
【図４】
2011033964.tif 000006
【図５】
2011033964.tif 000007
【図６】
2011033964.tif 000008
【図７Ａ】
2011033964.tif 000009
【図７Ｂ】
2011033964.tif 000010
【図８】
2011033964.tif 000011
【図９】
2011033964.tif 000012
【図１０】
2011033964.tif 000013